(57)【要約】【課題】  操作者が特別な操作を行なうことなくショートカットキー情報を表示することのできるシステムを実現する。【解決手段】  各ソフトウェアに対応したショートカットキー情報を格納するショートカットキー管理サーバと、前記ショートカットキー管理サーバとネットワークを介して接続されるコンピュータとからなり、前記コンピュータは、ソフトウェアに対応してショートカットキー情報を格納するショートカットキー情報データベースと、表示部と、ソフトウェアが起動された場合には、前記ショートカットキー情報データベースまたは前記ショートカットキー管理サーバに格納されている対応するショートカットキー情報を前記表示部に表示させる情報処理端末とを有する。【選択図】  図１
2006023818.tif 000002
【特許請求の範囲】
【請求項１】
各ソフトウェアに対応したショートカットキー情報を格納するショートカットキー管理サーバと、
前記ショートカットキー管理サーバとネットワークを介して接続されるコンピュータとからなり、
前記コンピュータは、
各ソフトウェアに対応したショートカットキー情報を格納するショートカットキー情報データベースと、
ショートカットキー情報を表示する表示部と、
ソフトウェアが起動された場合には、対応するショートカットキー情報が前記ショートカットキー情報データベースに格納されているかを確認し、格納されている場合には対応するショートカットキー情報を前記表示部に表示させ、格納されていない場合には前記ショートカットキー管理サーバに格納されている対応するショートカットキー情報を前記表示部に表示させる情報処理端末とを有することを特徴とするショートカットキー情報表示システム。
【請求項２】
請求項１記載のショートカットキー情報表示システムにおいて、
表示部がキーボードに設けられていることを特徴とするショートカットキー情報表示システム。
【請求項３】
請求項１または請求項２に記載のショートカットキー情報表示システムにおいて、
情報処理端末は、ショートカットキー管理サーバに格納されている対応するショートカットキー情報を前記表示部に表示させるとともに、前記ショートカットキー情報データベースに格納させることを特徴とするショートカットキー情報表示システム。
【発明の詳細な説明】
【技術分野】
【０００１】
本発明はコンピュータで使用される各ソフトウェアにそれぞれ対応するショートカットキー情報をキーボードに表示させるショートカットキー情報表示システムに関する。
【背景技術】
【０００２】
コンピュータで使用されるアプリケーションソフトウェアでは、それぞれ、所定の機能を実行するために予め定義されている複数のキーを組み合わせたショートカットキーが利用されている。各ショートカットキーの定義は各アプリケーション毎に異なるものであり、また、１つのアプリケーションソフトウェアで定義されるショートカットキーはアプリケーションソフトウェアの機能の数に比例するものであり、増加傾向にある。
【０００３】
特許文献１（特開２００４−３０５３５号公報）には、使用可能なショートカットキーの一覧を効率よくユーザーに提示することを目的とし、補助キーが押下されると、押下された補助キーを含むショートカットキーの一覧を表示画面内に表示する構成が開示されている。
【０００４】
特許文献２（特開平９−２６９８６５号公報）には、マウスパッドの表面に各種ソフトウェアのキーボードまたはアイコンのショートカットを表記する構成が開示されている。
【０００５】
特許文献３（特開平９−２５８８７２号公報）には、キートップの表示を可変とし、ショートカット入力時にはその機能をキートップに表示することによりショートカット入力を容易に行なうことのできるキーボード装置を実現することを目的とし、キー入力部１にはショートカット入力を起動する特定キー５２とキートップが液晶化された複数のショートカット入力キーがあり、特定キー５２の押下に応答してショートカット入力制御部２は予めショートカットデータ登録部５によりショートカット記憶部３に格納されているイメージデータを液晶表示制御部４に読み出させてショートカット入力キーのキートッブに表示させ、このイメージデータから所望の第２のキーを押下してショートカット入力を行ない、対応するコマンドをショートカット入力制御部２が読み出し出力する構成が開示されている。
【特許文献１】特開２００４−３０５３５号公報
【特許文献２】特開平９−２６９８６５号公報
【特許文献３】特開平９−２５８８７２号公報
【発明の開示】
【発明が解決しようとする課題】
【０００６】
各種ソフトウェアのショートカットキーは、機能に対応するキーボードまたはアイコンの割当てが各ソフトウェア毎並びに同一ソフトウェアであってもレビジョンの違いによって異なるとともに、その数が多い。従来のキーボードによるショートカットキーの入力では、ショートカットキーを事前に覚えておく、またはヘルプ等を開いてショートカットキー情報を検索する、または各ソフトウェアの取扱説明書等で確認した後にショートカットキーを入力する必要があった。このため、各ソフトウェア毎のショートカットキーに対応するには手間がかかり、仕事がはかどらないという問題点がある。
【０００７】
特許文献１に記載の発明では、コンピュータ内のデータベースにそのＯＳやソフトウェアに対応するショートカットキー情報が存在しない場合には、ＯＳやソフトウェア自体からショートカットキー情報を取得する構成とされている。このため、各ＯＳやソフトウェアがショートカットキー情報を送出する手段を持っている必要があり、ショートカットキー情報を送出する手段を持っていないＯＳやソフトウェアでは、ショートカットキー情報が表示できない。また、ショートカットキーの表示トリガーがショートカットキーで使用する一部キーの長時間入力であるが、どのキーとの組み合わせか不明の場合は、ショートカットキー情報を表示する事が出来ない。
【０００８】
特許文献２および特許文献３に記載の発明では、新しいソフトウェアやＯＳ、または、バージョンアップ等でショートカットキー情報が存在しない場合に、新たに手動でショートカットキー情報を入れ替える作業が必要である。
【０００９】
本発明は上述したような従来の技術が有する問題点に鑑みてなされたものであって、ショートカットキー情報が自己に存在しない場合であっても、操作者が特別な操作を行なうことなくショートカットキー情報を表示することのできるショートカットキー情報表示システムを実現することを目的とする。
【課題を解決するための手段】
【００１０】
本発明のショートカットキー情報表示システムは、ソフトウェアに対応してショートカットキー情報を格納するショートカットキー管理サーバと、
前記ショートカットキー管理サーバとネットワークを介して接続されるコンピュータとからなり、
前記コンピュータは、
ソフトウェアに対応してショートカットキー情報を格納するショートカットキー情報データベースと、
ショートカットキー情報を表示する表示部と、
ソフトウェアが起動された場合には、対応するショートカットキー情報が前記ショートカットキー情報データベースに格納されているかを確認し、格納されている場合には対応するショートカットキー情報を前記表示部に表示させ、格納されていない場合には前記ショートカットキー管理サーバに格納されている対応するショートカットキー情報を前記表示部に表示させる情報処理端末とを有することを特徴とする。
【００１１】
この場合、表示部がキーボードに設けられていることとしてもよい。
【００１２】
また、情報処理端末は、ショートカットキー管理サーバに格納されている対応するショートカットキー情報を前記表示部に表示させるとともに、前記ショートカットキー情報データベースに格納させることとしてもよい。
【発明の効果】
【００１３】
従来のキーボードによるショートカットキーの入力では、ショートカットキーを事前に覚えておく、またはヘルプ等を開いてショートカットキー情報を検索する、または各ソフトウェアの取扱説明書等で確認した後にショートカットキーを入力する必要があった点を以下のように改善するものである。
【００１４】
１）ショートカットキー表示機能付きキーボードにより各ソフトウェア並びに同一ソフトウェアであってもレビジョンの違いによってショートカットキーが異なる場合も対応したショートカットキー情報を表示するため、ショートカットキーを覚えるまたは検索を行う必要がない。
【００１５】
２）コンピュータは、コンピュータ操作者２０が起動又は切り替えたソフトウェアにあわせて対応するショートカットキー情報の表示を変更するため、各ソフトウェアで違うショートカットキー情報を持っていても常にアクティブなソフトウェアのショートカットキー情報に切り替わる。
【００１６】
３）コンピュータは、新しいソフトウェア等でコンピュータ内のショートカットキー情報ＤＢ内に対応するショートカットキー情報が無い場合も、ショートカットキー管理サーバから対応するショートカットキー情報を受信し、ショートカットキー情報を入手することが出来る。
【００１７】
４）コンピュータは、一度ショートカットキー管理サーバから対応ショートカットキー情報を入手すると、次に同じソフトウェアを起動時には、コンピュータ内のショートカットキー情報ＤＢからショートカットキー情報を表示させることが出来る。
【発明を実施するための最良の形態】
【００１８】
次に、本発明の実施例について図面を参照にして詳細に説明する。
【００１９】
図１は本発明によるシステムの一実施例の構成を示すブロック図、図２および図３は図１中のコンピュータ１０およびショートカットキー管理サーバ３０の構成を示す図である。
【００２０】
本実施例は、図１に示されるように、コンピュータ１０とコンピュータ操作者２０とショートカットキー管理サーバ３０と、コンピュータ１０とショートカットキー管理サーバ３０を相互に接続するインターネット、イントラネット等のネットワーク４００から構成されている。
【００２１】
コンピュータ１０は、図２に示されるように、情報処理端末１０１、ショートカットキー情報ＤＢ１０２、ショートカットキー表示機能付きキーボード１０３から構成され、ショートカットキー表示機能付きキーボード１０３にはショートカットキー表示部１０４が設けられている。
【００２２】
コンピュータ操作者２０は、コンピュータ１０の操作を行う操作者であり、コンピュータ１０上でソフトウェアの起動、切り替え、終了等の操作を行う。
【００２３】
ショートカットキー管理サーバ３０は、図３に示されるように、情報処理端末３０１と、データベースであるショートカットキー情報ＤＢ３０２から構成され、コンピュータ１０からソフトウェア情報を受信し、受信したソフトウェア情報に対応したショートカットキー情報をコンピュータ１０へ送信する。
【００２４】
上記の各構成要素のうち、まず、コンピュータ１０を構成する各部について説明する。
【００２５】
情報処理端末１０１：
サーバ、ワークステーション、パソコン等の情報処理端末であり、コンピュータ操作者２０がソフトウェアを起動すると、その起動したソフトウェアに対応したショートカットキー情報がショートカットキー情報ＤＢ１０２にあるかを確認する。ショートカットキー情報ＤＢ１０２にソフトウェアに対応したショートカットキー情報がある場合は、これを読み出してショートカットキー表示部１０４へ表示させる。
【００２６】
起動したソフトウェアに対応したショートカットキー情報がショートカットキー情報ＤＢ１０２に無い場合には、起動したソフトウェアの情報をショートカットキー管理サーバ３０へ送信する。この後、起動したソフトウェアに対応したショートカットキー情報をショートカットキー管理サーバ３０から受信すると、ショートカットキー表示部１０４へ表示させる。このとき、ショートカットキー情報と起動したソフトウェアの情報をショートカットキー情報ＤＢ１０２へ格納させ、次回同じソフトウェアを起動時には、コンピュータ１０内ショートカットキー情報ＤＢ１０２からショートカットキー情報を入手してショートカットキー表示部１０４へ表示させる。
【００２７】
コンピュータ操作者２０が別のソフトウェアを起動又はソフトウェアの切り替えを行うと、その都度、起動したソフトウェアに対応したショートカットキー情報をショートカット表示機能付きキーボード１０３内ショートカットキー表示部１０４へ表示させる。
【００２８】
ショートカットキー情報ＤＢ１０２：
ソフトウェアの情報とショートカットキー情報が関連付けして格納されており、情報処理端末１０１からのソフトウェア情報からそのソフトウェアに対応するショートカットキー情報または対応するショートカットキー情報が無い旨を情報処理端末１０１へ回答する。
【００２９】
また、ショートカットキー管理サーバ３０から送信されたショートカットキー情報をソフトウェア情報と関連付けして格納する。
【００３０】
ショートカットキー表示機能付きキーボード１０３：
キーボード上部や下部等のスペースにショートカットキー表示部１０４が設けられたキーボードである。
【００３１】
ショートカットキー表示部１０４：
液晶等で構成された文字、画像等の表示部であり、コンピュータ操作者２０がソフトウェアを起動又はソフトウェアの切り替えを行うと、情報処理端末１０１の制御により、その都度ソフトウェアに対応したショートカットキー情報を表示する。
【００３２】
次に、ショートカットキー管理サーバ３０を構成する各部について説明する。
【００３３】
情報処理端末３０１：
サーバ、ワークステーション等の情報処理端末であり、コンピュータ１０からソフトウェア情報を受信し、受信したソフトウェア情報に対応したショートカットキー情報をショートカットキー情報ＤＢ３０２を検索して見つけ出し、コンピュータ１０へ送信する機能を有する
ショートカットキー情報ＤＢ３０２：
常に最新ソフトウェアのショートカットキー情報を含む全てのソフトウェアの情報とショートカットキー情報とが関連付けられて格納されており、コンピュータ１０から受信したソフトウェアに対応するショートカットキー情報をコンピュータ１０へ回答する際に使用される。
【００３４】
上記のような構成要素を備えるコンピュータ１０は、コンピュータ操作者２０がソフトウェアを起動すると、起動したソフトウェアに対応したショートカットキー情報がショートカットキー情報ＤＢ１０２にあるかを確認し、ソフトウェアに対応したショートカットキー情報がある場合には、その内容をショートカットキー表示部１０４に表示する。
【００３５】
起動したソフトウェアに対応したショートカットキー情報がショートカットキー情報ＤＢ１０２に無い場合には、コンピュータ１０は起動したソフトウェアの情報をショートカットキー管理サーバ３０へ送信する。
【００３６】
コンピュータ１０からのソフトウェア情報を受信したショートカットキー管理サーバ３０は、受信したソフトウェア情報に対応したショートカットキー情報をコンピュータ１０へ送信する。
【００３７】
ショートカットキー管理サーバ３０から上記のショートカットキー情報を受信したコンピュータ１０は、その内容をショートカットキー表示部１０４へ表示するとともに、ショートカットキー情報と起動したソフトウェアの情報をショートカットキー情報ＤＢ１０２へ格納し、次に同じソフトウェアを起動するときには、ショートカットキーＤＢ１０２からショートカットキー情報を入手し、ショートカットキー表示部１０４へ表示する。
【００３８】
その後、コンピュータ１０は、コンピュータ操作者２０が別のソフトウェアを起動又はソフトウェアの切り替えを行うと、その起動したソフトウェアに対応したショートカットキー情報をショートカットキー表示部１０４へ表示する。
【００３９】
図４は上述した本実施例の動作を示すフローチャート、図５はショートカットキー情報の構成を示す図、図６はショートカットキー情報の表示例を示す図であり、以下に、図４ないし図６を参照して本実施例の動作について詳細に説明する。
【００４０】
コンピュータ操作者２０がソフトウェアの起動要求を行なうと（ステップＡ１）、これを受け付けたコンピュータ１０はソフトウェアを起動する（ステップＡ２）。コンピュータ１０は、起動したソフトウェアの情報に基いてショートカットキー情報ＤＢ１０２を検索し、対応したショートカットキー情報があるか確認する（ステップＡ３）。
【００４１】
ステップＡ３において、対応したショートカットキーがショートカットキー情報ＤＢ１０２に存在しないことが確認された場合には、起動したソフトウェアの情報をショートカットキー管理サーバ３０へ送信する（ステップＡ４）。
【００４２】
ショートカットキー管理サーバ３０は、受信したソフトウェアの情報に基いてショートカットキー情報ＤＢ３０２を検索し、対応したショートカットキー情報をコンピュータ１０へ送信する（ステップＡ５）。
【００４３】
ステップＡ３で、対応したショートカットキーがショートカットキー情報ＤＢ１０２に存在することが確認された場合、もしくは、ステップＡ５にてショートカットキー管理サーバ３０からのショートカットキー情報を受信した場合には、検索した対応するショートカットキー情報、もしくは、ショートカットキー管理サーバ３０から受信したショートカットキー情報をショートカットキー表示機能付きキーボード１０３内ショートカットキー表示部１０４へ表示させる（ステップＡ６）、さらに、ステップＡ５にてショートカットキー管理サーバ３０から送信されたショートカットキー情報をソフトウェア情報と関連付けしてショートカットキー情報ＤＢ１０２へ格納する（ステップＡ７）。
【００４４】
ショートカットキー情報の内容は、例えば図５に示されるような内容であり、図６に示すように、ショートカットキー表示機能付きキーボード１０３に設けられたショートカットキー表示部１０４に表示される。なお、本実施例においては、キーボードに表示される構成としたが、本発明の特徴の一つは、ネットワークを介して、ネットワーク上のサーバに格納されているショートカットキー情報を用いて表示を行なうとともにそれを自己に更新保存することにあり、表示はコンピュータ１０に備えられた表示部（不図示）で行なうこととしても当然よい。
【００４５】
この後、コンピュータ操作者２０から別のソフトウェアを起動又はソフトウェアの切り替えを行なった場合には（ステップＡ８）、コンピュータ１０は、ソフトウェアの動作状態を確認しており（ステップＡ９）、コンピュータ操作者による別のソフトウェアを起動又はソフトウェアの切り替えを検出すると、ステップＡ３に戻って上記の動作を繰り返し実行する。
【図面の簡単な説明】
【００４６】
【図１】本発明によるシステムの一実施例の構成を示すブロック図である。
【図２】図１中のコンピュータ１０の構成を示す図である。
【図３】図１中のショートカットキー管理サーバ３０の構成を示す図である。
【図４】本発明の実施例の動作を示すフローチャートである。
【図５】ショートカットキー情報の構成を示す図である。
【図６】ショートカットキー情報の表示例を示す図である。
【符号の説明】
【００４７】
１０    コンピュータ
２０    コンピュータ操作者
３０    ショートカットキー管理サーバ
１０１    情報処理端末
１０２    ショートカットキー情報データベース
１０３    ショートカットキー表示機能付きキーボード
１０４    ショートカットキー表示部
３０１    情報処理端末
３０２    ショートカットキー情報データベース
【図１】
2006023818.tif 000003
【図２】
2006023818.tif 000004
【図３】
2006023818.tif 000005
【図４】
2006023818.tif 000006
【図５】
2006023818.tif 000007
【図６】
2006023818.tif 000008